(57)【要約】【課題】必要に応じてホルダに端末装置を固定したり、その固定を解除したりできるようにすること。【解決手段】自装置でコンテンツが再生中であるか否かを判定する判定部４２と、判定部４２においてコンテンツが再生中であると判定された場合には、自装置をホルダ７に固定する信号Sを送出し、判定部４２においてコンテンツが再生中ではないと判定された場合には、信号Sの送出を停止する信号送出部４３とを有する端末装置による。【選択図】図４
2017188795.tif 000002
【特許請求の範囲】
【請求項１】
自装置でコンテンツが再生中であるか否かを判定する判定部と、
前記判定部において前記コンテンツが再生中であると判定された場合には、自装置をホルダに固定する信号を送出し、前記判定部において前記コンテンツが再生中ではないと判定された場合には、前記信号の送出を停止する信号送出部と、
を有する端末装置。
【請求項２】
物体の近接を検出する近接センサと、
自装置の姿勢変化を検出するジャイロセンサとを更に有し、
前記信号送出部は、前記判定部において前記コンテンツが再生中であると判断された場合であっても、前記近接センサが前記物体の近接を検出し、かつ前記ジャイロセンサが自装置の姿勢変化を検出したときは、前記信号の送出を停止することを特徴とする請求項１に記載の端末装置。
【請求項３】
前記ホルダに内蔵された電磁石に吸着する磁性体を更に有し、
前記信号は、前記電磁石の励磁を指示する信号であることを特徴とする請求項１又は請求項２に記載の端末装置。
【請求項４】
自装置でコンテンツが再生中であるか否かを判定する処理と、
前記判定により前記コンテンツが再生中であると判定された場合に、自装置をホルダに固定する信号を送出する処理と、
前記判定により前記コンテンツが再生中ではないと判定された場合に、前記信号の送出を停止する処理と、
をコンピュータに実行させるための端末装置制御プログラム。
【請求項５】
自装置でコンテンツが再生中であるか否かを判定し、
前記判定により前記コンテンツが再生中であると判定された場合に、自装置をホルダに固定する信号を送出し、
前記判定により前記コンテンツが再生中ではないと判定された場合に、前記信号の送出を停止する、
端末装置制御方法。
【発明の詳細な説明】
【技術分野】
【０００１】
本発明は、端末装置、端末装置制御プログラム、及び端末装置制御方法に関する。
【背景技術】
【０００２】
スマートフォンやタブレット端末等の端末装置の普及に伴い、映画や動画等のコンテンツをこれらの端末装置で視聴する機会が増えつつある。これらのコンテンツを視聴する際に端末装置を卓上ホルダに固定しておけば、ユーザが端末装置を持ち続ける必要がなく、更にユーザが見やすい位置に端末装置を固定できて便利である。
【０００３】
端末装置は、コンテンツの視聴時のように必要なときのみ卓上ホルダに固定されていればよく、それ以外の場合にはユーザが自由に操作できるように卓上ホルダから簡単に取り外せるのが好ましい。
【０００４】
このように必要な場合にのみ卓上ホルダに端末装置を固定する様々な方法がいくつか提案されているが、いずれも改善の余地がある。
【０００５】
例えば、卓上ホルダに電磁石を設けておき、端末装置を充電するときの充電電流でその電磁石を励磁することにより、電磁石の磁力で卓上ホルダに端末装置を固定する方法が提案されている。
【０００６】
この方法では、磁力が生じているときは卓上ホルダに端末装置が安定して固定されるため、卓上ホルダから端末装置が脱落するおそれがないとの安心感をユーザに与えることができる。
【０００７】
しかし、充電が完了して充電電流が流れなくなると、電磁石が磁力を失って卓上ホルダと端末装置との固定が解除されてしまう。そのため、充電が完了したときにユーザがコンテンツをまだ視聴している場合では、コンテンツの視聴途中で振動により卓上ホルダから端末装置が外れてしまう可能性がある。
【０００８】
また、電磁石で卓上ホルダに端末装置を固定しつつ、異常な振動を３軸センサが検出したときには、安全のために固定を解除する方法も提案されている。この方法では、地震の際に３軸センサが振動を検出して固定が解除されるため、コンテンツの視聴途中であっても、卓上ホルダから端末装置が外れてしまうおそれがある。
【先行技術文献】
【特許文献】
【０００９】
【特許文献１】特開平９−１６２９５９号公報
【特許文献２】特開２００９−１１７２４９号公報
【発明の概要】
【発明が解決しようとする課題】
【００１０】
一つの側面では、必要に応じてホルダに端末装置を固定したり、その固定を解除したりできるようにすることを目的とする。
【課題を解決するための手段】
【００１１】
一つの側面では、自装置でコンテンツが再生中であるか否かを判定する判定部と、前記判定部において前記コンテンツが再生中であると判定された場合には、自装置をホルダに固定する信号を送出し、前記判定部において前記コンテンツが再生中ではないと判定された場合には、前記信号の送出を停止する信号送出部とを有する端末装置が提供される。
【発明の効果】
【００１２】
必要に応じてホルダに端末装置を固定したり、その固定を解除したりすることができる。
【図面の簡単な説明】
【００１３】
【図１】図１は、本実施形態に係る端末装置の正面図である。
【図２】図２（ａ）は本実施形態に係るシステムの側面図であり、図２（ｂ）は本実施形態に係るシステムの正面図である。
【図３】図３は、本実施形態に係る端末装置と卓上ホルダのハードウェア構成図である。
【図４】図４は、本実施形態に係る端末装置の機能構成図である。
【図５】図５は、本実施形態に係る端末装置制御方法の充電時におけるシーケンス図である。
【図６】図６は、本実施形態に係る端末装置制御方法のコンテンツ再生時におけるシーケンス図である。
【図７】図７は、本実施形態に係る端末装置制御方法のコンテンツ終了時におけるシーケンス図である。
【図８】本実施形態が想定しているユーザの操作について模式的に説明する側面図である。
【図９】図９は、本実施形態に係る端末装置制御方法のユーザ操作時におけるシーケンス図（その１）である。
【図１０】図１０は、本実施形態に係る端末装置制御方法のユーザ操作時におけるシーケンス図（その２）である。
【図１１】図１１は、本実施形態において、ユーザに端末装置を抜去する意思があるか否かを判定部が判定するための判定ルールを示す図である。
【発明を実施するための最良の形態】
【００１４】
（本実施形態）
［全体構成］
図１は、本実施形態に係る端末装置の正面図である。
【００１５】
この端末装置１は、スマートフォンであって、ユーザが持ち運び可能な筐体２を有する。そして、その筐体２の前面には、近接センサ３とタッチパネル４とが設けられる。
【００１６】
このうち、近接センサ３は、物体に赤外光を照射し、その物体で反射された赤外光を受光することにより、物体が近接しているか否かを検出するセンサである。
【００１７】
一方、タッチパネル４は、ユーザがタッチすることにより入力を行う入力部と、ユーザに対して映画や動画等のコンテンツを表示する表示部とを兼ねたデバイスである。
【００１８】
図２（ａ）は、端末装置１と卓上ホルダ７とを備えたシステム９の側面図である。
【００１９】
卓上ホルダ７は、コンテンツ視聴時に端末装置１を置くためのホルダであって、机等の表面Dに当接する平坦面７ｆと、端末装置１が嵌る凹部７ａとを有する。
【００２０】
また、端末装置１と卓上ホルダ７の各々には第１の接続部１６と第２の接続部３４が設けられており、これらが互いに接続することで、卓上ホルダ７から端末装置１に電源電圧が供給される。
【００２１】
更に、卓上ホルダ７には、端末装置１に電源電圧を供給するためのケーブル８が接続される。
【００２２】
図２（ｂ）は、このシステム９の正面図である。
【００２３】
図２（ｂ）に示すように、端末装置１は卓上ホルダ７に横置きされ、タッチパネル４にコンテンツが表示される。このような表示モードはシアターモードとも呼ばれる。
【００２４】
［ハードウェア構成］
図３は、端末装置１と卓上ホルダ７のハードウェア構成図である。
【００２５】
なお、図３において、図１や図２で説明したのと同じ要素にはこれらの図におけるのと同じ符号を付し、以下ではその説明を省略する。
【００２６】
＜端末装置＞
図３に示すように、端末装置１は、近接センサ３、タッチパネル４、プロセッサ１０、記憶部１１、センサ制御IC(Integrated Circuit)１２、ジャイロセンサ１３、第１の充電IC１４、充電池１５、及び第１の接続部１６を有する。
【００２７】
このうち、プロセッサ１０は、映画や動画等のコンテンツを再生してタッチパネル４に表示したり、記憶部１１と協働して後述の端末装置制御プログラムを実行したりするCPU(Central Processing Unit)である。
【００２８】
また、そのプロセッサ１０には、GPIO(General Purpose Input/Output)インターフェース１０ａ、SPMI(System Power Management Interface)インターフェース１０ｂ、及びI2C(Inter Integrated Circuit)インターフェース１０ｃが設けられる。
【００２９】
GPIOインターフェース１０ａは、汎用の入出力インターフェースであり、固定指示信号Sを出力する。
【００３０】
固定指示信号Sは、卓上ホルダ７に端末装置１を固定するために、後述の電磁石４５の励磁を指示する信号である。また、固定指示信号Sは、１ビットで表される信号であり、その電圧は３．３V〜５V程度である。
【００３１】
SPMIインターフェース１０ｂは、第１の充電IC１４と通信をするためのシリアルバスインターフェースである。
【００３２】
そして、I2Cインターフェース１０ｃは、センサ制御IC１２と通信をするためのシリアルバスインターフェースである。
【００３３】
そのセンサ制御IC１２は、端末装置１が近接センサ３とジャイロセンサ１３を使用する必要がある場合にのみ、これらのセンサの出力をプロセッサ１０に通知する。これにより、プロセッサ１０が近接センサ３とジャイロセンサ１３の各出力を常時監視する必要がなくなり、プロセッサ１０の省電力化が図られる。
【００３４】
ジャイロセンサ１３は、端末装置１の姿勢変化を検出するセンサであり、姿勢変化があった場合にはその旨をセンサ制御IC１２に通知する。
【００３５】
また、記憶部１１は、RAM(Random Access Memory)１１ａとROM(Read Only Memory)１１ｂとを有する。
【００３６】
このうち、RAM１１ａは、例えばDRAM(Dynamic RAM)であって、その上に後述の端末装置制御プログラムが展開される。
【００３７】
そして、ROM１１ｂは、例えばフラッシュメモリであり、後述の端末装置制御プログラムや、映画や動画等のコンテンツを記憶する。
【００３８】
なお、その端末装置制御プログラムをコンピュータが読み取り可能な記録媒体１９に記憶させておき、プロセッサ１０に記録媒体１９の端末装置制御プログラムを読み取らせるようにしてもよい。
【００３９】
そのような記録媒体１９としては、例えばCD-ROM(Compact Disc - Read Only Memory)、DVD(Digital Versatile Disc)、及びUSB(Universal Serial Bus)メモリ等の物理的な可搬型記憶媒体がある。また、フラッシュメモリ等の半導体メモリやハードディスクドライブを記憶媒体１９として使用してもよい。これらの記憶媒体１９は、物理的な形態を持たない搬送波のような一時的な媒体ではない。
【００４０】
更に、公衆回線、インターネット、及びLAN(Local Area Network)等に接続された装置に端末装置制御プログラムを記憶させておき、プロセッサ１０が端末装置制御プログラムを読み出して実行するようにしてもよい。
【００４１】
一方、充電池１５は、端末装置１０の各部を駆動するリチウムイオン電池であり、正極（＋）と負極（−）とを有する。
【００４２】
そして、第１の充電IC１４は、卓上ホルダ７から電源電圧VBUSが供給されたかどうかを監視し、電源電圧VBUSを検出した場合にはその旨を示す信号Sdをプロセッサ１０に通知する。
【００４３】
更に、第１の充電IC１４は、プロセッサ１０からの指示に基づき、卓上ホルダ７から給電された電源電圧VBUSで充電池１５を充電する。
【００４４】
なお、充電池１５の充電量は、第１の充電IC１４を介してプロセッサ１０が監視している。その監視の結果、充電池１５が満充電であることが分かった場合には、プロセッサ１０は、第１の充電IC１４に充電池１５を充電しないように指示する。
【００４５】
一方、第１の接続部１６は、第１の正極端子２１、出力端子２２、第１の信号端子２３、第１の負極端子２４、及び磁性体２５を有する。
【００４６】
このうち、第１の正極端子２１は、卓上ホルダ７から５Ｖの正の電源電圧VBUSを受ける端子である。また、出力端子２２は、前述の固定指示信号Sを出力するための端子である。
【００４７】
そして、第１の信号端子２３は、急速充電をするか否かについてのネゴシエーションを端末装置１と卓上ホルダ７とが行うときに、端末装置１と卓上ホルダ７とが送受信する信号Snが通る端子である。
【００４８】
また、磁性体２５は、鉄やフェライト等の成型体であり、卓上ホルダ７が発生する磁力によって卓上ホルダ７に吸着する。
【００４９】
＜卓上ホルダ＞
図３に示すように、卓上ホルダ７は、マイクロUSB(Universal Serial Bus)端子３０、第２の充電IC３１、増幅器３２、検出回路３３、及び第２の接続部３４を有する。
【００５０】
このうち、マイクロUSB端子３０は、前述のケーブル８から５V程度の電源電圧VBUSと接地電位GNDの供給を受ける。
【００５１】
第２の充電IC３１は、検出回路３３を介して第１の充電IC１４と前述の信号Snを送受信することにより、充電池１５を急速充電するか否かのネゴシエーションを第１の充電IC１４との間で行う。
【００５２】
なお、第２の充電IC３１は、マイクロUSB端子３０から受けた電源電圧VBUSを、第１の正極端子２１、増幅器３２、及び検出回路３３に出力する。
【００５３】
また、増幅器３２は、固定指示信号Sを受信したときに、電源電圧VBUSから得られる電流を増幅して後述の電磁石４５に供給し、電磁石４５を励磁する。なお、固定指示信号Sを受信していないときには、増幅器３２は電磁石４５に電流を供給せず、電磁石４５は励磁しない。
【００５４】
そして、検出回路３３は、端末装置１が急速充電に対応した機種であるか否かを検出し、その検出結果を示す信号Srを第２の充電IC３１に出力する。
【００５５】
一方、第２の接続部３４は、第２の正極端子４１、入力端子４２、第２の信号端子４３、第２の負極端子４４、及び電磁石４５を有する。
【００５６】
このうち、第２の正極端子４１は、第１の正極端子２１と接することにより、第１の正極端子２１に電源電圧VBUSを供給する。また、入力端子４２は、出力端子２２と接することにより、端末装置１から前述の固定指示信号Sを受ける。
【００５７】
そして、第２の信号端子４３は、第１の信号端子２３と接することにより、前述の信号Snが流れる経路を確保する。
【００５８】
また、電磁石４５は、前述の増幅器３２から供給される電流により励磁し、端末装置１の磁性体２５に磁力で吸着する。
【００５９】
本実施形態では、このように電磁石４５の磁力を利用して卓上ホルダ７に端末装置１を固定することで、卓上ホルダ７が安定して端末装置１を支持できる。
【００６０】
［機能構成］
図４は、端末装置１の機能構成図である。
【００６１】
図４に示すように、端末装置１は、再生部４１、判定部４２、及び信号送出部４３を備える。これらの各部の機能は、プロセッサ１０と記憶部１１が協働して端末装置制御プログラムを実行することで実現され得る。
【００６２】
このうち、再生部４１は、コンテンツを再生するためのアプリケーションプログラムを実行することにより、映画や動画等のコンテンツを再生する。そのアプリケーションプログラムには、自装置のROM１１ｂ（図３参照）に格納されているコンテンツを再生するプログラムや、インターネット上にあるコンテンツをストリーミング再生するブラウザが含まれる。
【００６３】
なお、再生部４１は、同時に複数のアプリケーションを実行してもよい。
【００６４】
また、判定部４２は、再生部４１においてコンテンツが再生中であるか否かを判定する。
【００６５】
そして、信号送出部４３は、判定部４２においてコンテンツが再生中であると判定された場合に、自装置を卓上ホルダ７に固定する固定指示信号Sを送出する。一方、判定部４２においてコンテンツが再生中ではないと判定された場合には、信号送出部４３は固定指示信号Sの送出を停止する。
【００６６】
［端末装置制御方法］
次に、本実施形態に係る端末装置制御方法について説明する。
【００６７】
この端末装置制御方法は、端末装置１が端末装置制御プログラムを実行することで行われるものであり、固定シーケンスと固定解除シーケンスとに大別される。
【００６８】
このうち、固定シーケンスは、端末装置１を充電したり、端末装置１でコンテンツを視聴したりする場合に、卓上ホルダ７に端末装置１を固定するシーケンスである。
【００６９】
また、固定解除シーケンスは、卓上ホルダ７から端末装置１を抜去しようとする操作をユーザが行ったときや、コンテンツの終了時に、端末装置１と卓上ホルダ７との固定を解除するシーケンスである。
【００７０】
以下に、固定シーケンスと固定解除シーケンスの各々について説明する。
【００７１】
＜固定シーケンス＞
まず、固定シーケンスについて説明する。
【００７２】
固定シーケンスは、前述のように充電時やコンテンツ視聴時に卓上ホルダ７に端末装置１を固定するシーケンスである。以下では、充電時とコンテンツ視聴時の各々の固定シーケンスについて説明する。
【００７３】
・充電時
図５は、本実施形態に係る端末装置制御方法の充電時におけるシーケンス図である。
【００７４】
まず、ステップＳ１において、ユーザが、卓上ホルダ７に端末装置１を置く。
【００７５】
これにより、第１の正極端子２１（図３参照）と第２の正極端子４１とが互いに接するようになるため、ステップＳ２において第２の正極端子４１から第１の充電IC１４に電源電圧VBUSが印加されることになる。
【００７６】
そして、ステップＳ３において、第１の充電IC１４が電源電圧VBUSを検出し、その旨を示す信号Sdを判定部４２に通知する。
【００７７】
その通知を受けた判定部４２は、ステップＳ４において充電池１５を充電するか否かの判定をする。その判定は充電池１５の充電量に基づいて行われ、充電池１５が満充電でない場合には充電すると判定し、満充電の場合には充電しないと判定する。
【００７８】
ステップＳ４において充電すると判定した場合は、ステップＳ５に移り、判定部４２が第１の充電IC１４に充電池１５を充電するように指示する。
【００７９】
次に、ステップＳ６に移り、判定部４２が、信号送出部４３に固定指示信号Sを送出するように指示する。
【００８０】
続いて、ステップＳ７に移り、この指示を受けた信号送出部４３が増幅器３２に固定指示信号Sを送出する。
【００８１】
そして、ステップＳ８に移り、固定指示信号Sを受けた増幅器３２が、電源電圧VBUSから得られる電流を増幅する。
【００８２】
次いで、ステップＳ９に移り、増幅器３２が、増幅した電流を電磁石４５に供給する。
【００８３】
次に、ステップＳ１０に移り、電流の供給を受けた電磁石４５が磁力を発生する。
【００８４】
そして、ステップＳ１１に移り、電磁石４５が磁性体２５に磁力で吸着する。これにより、磁性体４５の磁力によって卓上ホルダ７に端末装置１が固定されることになる。
【００８５】
続いて、ステップＳ１２に移り、第１の充電IC１４が充電池１５の充電を開始する。
【００８６】
これにより、ステップＳ１３において、卓上ホルダ７に端末装置１を磁力で固定しながら、端末装置１が充電されることになる。
【００８７】
以上説明した固定シーケンスによれば、充電時に卓上ホルダ７に端末装置１を固定するため、地震等が発生しても卓上ホルダ７から端末装置１が外れることがなく、安定して端末装置１を充電することができる。
【００８８】
・コンテンツ再生時
図６は、本実施形態に係る端末装置制御方法のコンテンツ再生時におけるシーケンス図である。
【００８９】
まず、ステップＳ２１において、ユーザが、卓上ホルダ７に端末装置１を置く。
【００９０】
これにより、ステップＳ２２において、第２の正極端子４１から第１の充電IC１４に電源電圧VBUSが印加される。
【００９１】
そして、ステップＳ２３に移り、第１の充電IC１４が電源電圧VBUSを検出し、その旨を示す信号Sdを再生部４１に通知する。
【００９２】
次に、ステップＳ２４に移り、この通知を受けた再生部４１が、タッチパネル４（図１参照）にメニューを表示する。そのメニューには、テレビや動画サイト等のコンテンツを選択するための複数の選択ボタンが表示される。
【００９３】
そして、ステップＳ２５に移り、ユーザが、メニューのなかから視聴したいコンテンツのボタンをタッチすることで、視聴したいコンテンツを選択する。
【００９４】
続いて、ステップＳ２６に移り、再生部４１が、ステップＳ２５で選択したコンテンツを視聴するためのアプリケーションを起動し、そのコンテンツの再生を開始する。
【００９５】
次に、ステップＳ２７に移り、判定部４２が、自装置でコンテンツが再生中であるか否かを判定する。
【００９６】
ここで、再生中であると判定した場合には、ステップＳ２８に移り、判定部４２が、信号送出部４３に固定指示信号Sを送出するように指示する。
【００９７】
続いて、ステップＳ２９に移り、この指示を受けた信号送出部４３が増幅器３２に固定指示信号Sを送出する。
【００９８】
次に、ステップＳ３０に移り、固定指示信号Sを受けた増幅器３２が、電源電圧VBUSから得られる電流を増幅する。
【００９９】
そして、ステップＳ３１に移り、増幅器３２が、増幅した電流を電磁石４５に供給する。
【０１００】
次に、ステップＳ３２に移り、電流の供給を受けた電磁石４５が磁力を発生する。
【０１０１】
そして、ステップＳ３３に移り、電磁石４５が磁性体２５に吸着する。これにより、磁性体４５の磁力によって卓上ホルダ７に端末装置１が固定されることになる。
【０１０２】
これにより、ステップＳ３４において、卓上ホルダ７に端末装置１を磁力で固定しながら、ユーザがコンテンツを視聴することができる。
【０１０３】
以上説明した固定シーケンスによれば、ステップＳ２７において判定部４２が自装置でコンテンツを再生中であると判定した場合に、信号送出部４３が固定指示信号Sを送出する。
【０１０４】
これにより、コンテンツの再生時に磁力によって卓上ホルダ７に端末装置１が安定して保持されるため、ユーザが安心してコンテンツを視聴することが可能となる。
【０１０５】
＜固定解除シーケンス＞
次に、固定解除シーケンスについて説明する。
【０１０６】
固定解除シーケンスは、前述のように卓上ホルダ７から端末装置１を抜去しようとする操作をユーザが行ったときや、コンテンツの終了時に、端末装置１と卓上ホルダ７との固定を解除するシーケンスである。
【０１０７】
以下では、コンテンツ終了時とユーザ操作時の各々の固定解除シーケンスについて説明する。
【０１０８】
・コンテンツ終了時
図７は、本実施形態に係る端末装置制御方法のコンテンツ終了時におけるシーケンス図である。
【０１０９】
まず、ステップＳ４１において、再生部４１が、コンテンツを再生するためのアプリケーションプログラムを終了させる。
【０１１０】
次に、ステップＳ４２に移り、判定部４２が、自装置でコンテンツが再生中であるか否かを判定する。
【０１１１】
なお、複数のコンテンツごとに複数のアプリケーションプログラムが起動している場合であって、そのうちの一つのアプリケーションプログラム起動しているときは、判定部４２はコンテンツが再生中であると判定する。
【０１１２】
一方、コンテンツを再生するためのアプリケーションプログラムの全てが終了している場合には、判定部４２は、コンテンツは再生中ではないと判定する。
【０１１３】
このようにコンテンツは再生中ではないと判定した場合には、ステップＳ４３に移り、判定部４２が、信号送出部４３に対して固定指示信号Sの送出を停止するように指示する。
【０１１４】
次に、ステップＳ４４に移り、判定部４２からの指示を受けた信号送出部４３が、固定指示信号Sの送出を停止する。
【０１１５】
続いて、ステップＳ４５に移り、固定指示信号Sの停止によって増幅器３２が電流の増幅を停止する。
【０１１６】
そして、ステップＳ４６において増幅器３２が電磁石４５への電流の供給を停止する。
【０１１７】
その結果、ステップＳ４７において電磁石４５の磁力が消滅し、ステップＳ４８において磁性体２５と電磁石４５との吸着が停止する。
【０１１８】
これにより、ステップＳ４９において、磁力による端末装置１と卓上ホルダ７との固定が解除される。
【０１１９】
以上説明した固定解除シーケンスによれば、ステップＳ４２において判定部４２が自装置でコンテンツが再生中ではないと判定した場合に、信号送出部４３が固定指示信号Sの送出を停止する。
【０１２０】
これにより、コンテンツが終了して卓上ホルダ７に端末装置１を固定する必要がなくなった場合のように、ユーザが端末装置１の抜去を望む場合には、磁性体２５と電磁石４５との吸着が解除され、ユーザが卓上ホルダ７から端末装置１を抜去することができる。
【０１２１】
・ユーザ操作時
図８は、本実施形態が想定しているユーザの操作について模式的に説明する側面図である。
【０１２２】
図８の例では、充電とコンテンツの再生とを行っている端末装置１を卓上ホルダ７から抜去するために、ユーザが手Hで端末装置１を手前側に傾けた場合を想定している。この場合は、近接センサ３（図１参照）が手Hの近接を検出すると共に、ジャイロセンサ１３（図３参照）が姿勢変化を検出することになる。
【０１２３】
このように手の近接と姿勢変化とを検出した場合には、ユーザに端末装置１を抜去する意思があると考えることができる。これを利用して、本実施形態では以下のようにして端末装置１と卓上ホルダ７との固定を解除する。
【０１２４】
図９及び図１０は、本実施形態に係る端末装置制御方法のユーザ操作時におけるシーケンス図である。
【０１２５】
まず、ステップＳ５１において、ユーザが端末装置１に手をかける。なお、この段階では、端末装置１は卓上ホルダ７において充電とコンテンツの再生とを行っている。
【０１２６】
このように手をかけると、ステップＳ５２において近接センサ３が手の近接を検出し、その旨を判定部４２に通知する。
【０１２７】
次に、ステップＳ５３に移り、ユーザが手で端末装置１を手前側に傾ける。
【０１２８】
その結果、ステップＳ５４において、ジャイロセンサ１３が自装置の姿勢変化を検出し、その旨を判定部４２に通知する。
【０１２９】
次に、ステップＳ５５に移り、手の近接と姿勢変化の通知を受けた判定部４２が、ユーザに抜去の意思があると判定し、コンテンツの再生中であっても端末装置１と卓上ホルダ７との固定を解除することを決定する。
【０１３０】
そして、ステップＳ５６に移り、判定部４２が、信号送出部４３に対して固定指示信号Sの送出を停止するように指示する。
【０１３１】
次に、ステップＳ５７に移り、判定部４２からの指示を受けた信号送出部４３が、固定指示信号Sの送出を停止する。
【０１３２】
続いて、ステップＳ５８に移り、固定指示信号Sの停止によって増幅器３２が電流の増幅を停止する。
【０１３３】
そして、ステップＳ５９において増幅器３２が電磁石４５への電流の供給を停止する。
【０１３４】
その結果、ステップＳ６０において電磁石４５の磁力が消滅し、ステップＳ６１において磁性体２５と電磁石４５との吸着が停止する。
【０１３５】
これにより、ステップＳ６２において、磁力による端末装置１と卓上ホルダ７との固定が解除される。
【０１３６】
次に、図１０のステップＳ６３に移り、ユーザが卓上ホルダ７から端末装置１を抜去する。
【０１３７】
このとき、前述のように磁力による端末装置１と卓上ホルダ７との固定が解除されているため、その磁力に抗することなくユーザは卓上ホルダ７から端末装置１を簡単に抜去することができる。
【０１３８】
そして、このように抜去すると、第１の接続部１６と第２の接続部３４とが離れるため、ステップＳ６４において第２の正極端子４１から第１の充電IC１４への電源電圧VBUSの印加が停止する。
【０１３９】
続いて、ステップＳ６５に移り、第１の充電IC１４が電源電圧VBUSの切断を検出し、その旨を判定部４２に通知する。
【０１４０】
そして、このように電源電圧VBUSの切断が検出されたことを契機として、ステップＳ６６において判定部４２が充電停止を決定する。
【０１４１】
次に、ステップＳ６７に移り、判定部４２が第１の充電IC１４に充電停止を指示する。
【０１４２】
これにより、ステップＳ６８において、第１の充電IC１４の制御下で充電池１５の充電が停止することになる。
【０１４３】
以上説明した固定解除シーケンスによれば、端末装置１でコンテンツが再生中であっても、手の近接と自装置の姿勢変化とを検出したときに電磁石４５の磁力が消滅する。これにより、コンテンツの再生中に端末装置１を抜去する意思がユーザにある場合には、ユーザが自身の意思の通りに卓上ホルダ７から端末装置１を抜去することができる。
【０１４４】
図１１は、ユーザに端末装置１を抜去する意思があるか否かを判定部４２が判定するための判定ルールを示す図である。
【０１４５】
この判定ルールにおいては、抜去の意思の有無を判定するために、「充電」、「コンテンツ」、「姿勢変化」、及び「手の近接」の各条件を組み合わせた条件１〜条件４に基づき、ルール１〜７の７通りのルールを設ける。
【０１４６】
なお、「充電」は端末装置１が充電中であるか否かを表し、「コンテンツ」は端末装置１でコンテンツが動作中であるか否かを表す。また、「姿勢変化」は端末装置１の姿勢が変化したか否かを表し、「手の近接」は端末装置１に手が近接しているか否かを表す。
【０１４７】
図１１に示すように、ルール１においては、手の近接と姿勢変化とがあるため、前述のようにユーザに端末装置１を抜去する意思があると判定される。よって、この場合には、端末装置１でコンテンツが動作中であっても、前述のように固定指示信号Sの送出を停止する。
【０１４８】
同様に、ルール５においても手の近接と姿勢変化とがあるため、ユーザに端末装置１を抜去する意思があると判定される。よって、この場合には、端末装置１が充電中であっても固定指示信号Sの送出を停止し、ユーザが卓上ホルダ７から端末装置１を抜去できるようにする。
【０１４９】
一方、これ以外のルール２、３、６、７においては、手の近接と姿勢変化のいずれかが無いため、ユーザに端末装置１を抜去する意思があるとは必ずしも考えられない。
【０１５０】
例えば、ルール２のように姿勢変化のみがあり、手の近接がない場合には、地震等によって端末装置１の姿勢が変化しただけであり、ユーザに抜去の意思がないと考えられる。
【０１５１】
よって、本実施形態のように手の近接と姿勢変化の両方を検出することで、ユーザの抜去の意思を正しく認識することができ、地震等の際にも卓上ホルダ７に端末装置１を固定し続けることが可能となる。
【０１５２】
なお、ルール４において固定指示信号の送出を任意（−）としたのは、この場合は充電もコンテンツの視聴もしていないため、ユーザが端末装置１を操作する特段の用事がないと考えられ、抜去するか否かはユーザが設定すべきだからである。
【０１５３】
以上説明した各実施形態に関し、更に以下の付記を開示する。
【０１５４】
（付記１）  自装置でコンテンツが再生中であるか否かを判定する判定部と、
前記判定部において前記コンテンツが再生中であると判定された場合には、自装置をホルダに固定する信号を送出し、前記判定部において前記コンテンツが再生中ではないと判定された場合には、前記信号の送出を停止する信号送出部と、
を有する端末装置。
【０１５５】
（付記２）  物体の近接を検出する近接センサと、
自装置の姿勢変化を検出するジャイロセンサとを更に有し、
前記信号送出部は、前記判定部において前記コンテンツが再生中であると判断された場合であっても、前記近接センサが前記物体の近接を検出し、かつ前記ジャイロセンサが自装置の姿勢変化を検出したときは、前記信号の送出を停止することを特徴とする付記１に記載の端末装置。
【０１５６】
（付記３）  前記ホルダから供給される電源電圧によって充電される充電池を更に有し、
前記判定部は、前記電源電圧を検出したときに、前記信号を送出することを特徴とする付記１又は付記２に記載の端末装置。
【０１５７】
（付記４）  前記ホルダに内蔵された電磁石に吸着する磁性体を更に有し、
前記信号は、前記電磁石の励磁を指示する信号であることを特徴とする付記１乃至付記３のいずれかに記載の端末装置。
【０１５８】
（付記５）  自装置でコンテンツが再生中であるか否かを判定する処理と、
前記判定により前記コンテンツが再生中であると判定された場合に、自装置をホルダに固定する信号を送出する処理と、
前記判定により前記コンテンツが再生中ではないと判定された場合に、前記信号の送出を停止する処理と、
をコンピュータに実行させるための端末装置制御プログラム。
【０１５９】
（付記６）  自装置でコンテンツが再生中であるか否かを判定し、
前記判定により前記コンテンツが再生中であると判定された場合に、自装置をホルダに固定する信号を送出し、
前記判定により前記コンテンツが再生中ではないと判定された場合に、前記信号の送出を停止する、
端末装置制御方法。
【０１６０】
（付記７）  端末装置と、
前記端末装置を保持するホルダとを備え、
前記端末装置は、
自装置でコンテンツが再生中であるか否かを判定する判定部と、
前記判定部において前記コンテンツが再生中であると判定された場合には、自装置を前記ホルダに固定する信号を送出し、前記判定部において前記コンテンツが再生中ではないと判定された場合には、前記信号の送出を停止する信号送出部とを有するシステム。
【符号の説明】
【０１６１】
１…端末装置、２…筐体、３…近接センサ、４…タッチパネル、７…卓上ホルダ、７ａ…凹部、８…ケーブル、９…システム、１０…プロセッサ、１０ａ…GPIOインターフェース、１０ｂ…SPMIインターフェース、１０ｃ…I2Cインターフェース、１１…記憶部、１１ａ…RAM、１１ｂ…ROM、１２…センサ制御IC、１３…ジャイロセンサ、１４…第１の充電IC、１５…充電池、１６…第１の接続部、１９…記録媒体、２１…第１の正極端子、２２…出力端子、２３…第１の信号端子、２４…第１の負極端子、２５…磁性体、３０…マイクロUSB端子、３１…第２の充電IC、３２…増幅器、３３…検出回路、３４…第２の接続部、４１…第２の正極端子、４２…入力端子、４３…第２の信号端子、４４…第２の負極端子、４５…電磁石。
【図１】
2017188795.tif 000003
【図２】
2017188795.tif 000004
【図３】
2017188795.tif 000005
【図４】
2017188795.tif 000006
【図５】
2017188795.tif 000007
【図６】
2017188795.tif 000008
【図７】
2017188795.tif 000009
【図８】
2017188795.tif 000010
【図９】
2017188795.tif 000011
【図１０】
2017188795.tif 000012
【図１１】
2017188795.tif 000013